(57)【要約】【課題】略Ｕ字状のアームの先端からさらに握り部を延出させる必要がないドアガードを提供することを課題とする。【解決手段】ドアガードは扉２又は扉枠１のいずれか一方に回動可能に連結されたアーム４と、扉枠１又は扉２のいずれか他方に取り付けられたアーム係止具３を備えている。アーム４は平行に延びる二本のレール４ａ、４ｂと、二本のレール４ａ、４ｂの先端を連結する連結部４ｃを有する。アーム係止具３は頭部３ａと軸部３ｂを備えている。アーム４をアーム係止具３側に所定角度回動した状態で開扉した場合にアーム４はアーム係止具３の頭部３ａに係止されつつ相対移動する。二本のレール４ａ、４ｂの少なくとも一方の内側にアーム係止具３の軸部３ｂが当接する突部４ｄが形成されている。アーム係止具３の軸部３ｂと突部４ｄが当接した状態においてアーム係止具３の軸部３ｂとアーム４の連結部４ｃとの間に空間１１を有している。【選択図】図４
2008297717.tif 000002
【特許請求の範囲】
【請求項１】
扉又は扉枠のいずれか一方に回動可能に連結されたアームと、扉枠又は扉のいずれか他方に取り付けられたアーム係止具とを備え、該アームは平行に延びる二本のレールと該二本のレールの先端を連結する連結部を有し、該アーム係止具は頭部と軸部を備え、該アームを該アーム係止具側に所定角度回動した状態で開扉した場合、該アームは該アーム係止具の頭部に係止されつつ相対移動するドアガードにおいて、該二本のレールの少なくとも一方の内側には該アーム係止具の軸部が当接する突部が形成され、該アーム係止具の軸部と該突部が当接することによりそれ以上の開扉が阻止された状態において該アーム係止具の軸部と該アームの連結部との間に空間を有していることを特徴とするドアガード。
【発明の詳細な説明】
【技術分野】
【０００１】
本発明は、開扉を所定角度に制限して無用の人の不法侵入を阻止することができるドアガードに関するものである。
【背景技術】
【０００２】
この種のドアガードは、略水平方向に回動するようにその基端部が扉内面に取り付けられるアームと、該アームを係止すべく扉枠に取り付けられるアーム係止具とを備えている。アームは全体として略Ｕ字状に形成されることによりその上下方向略中央には長手方向に沿ってスリットが延設され、その折曲側が先端側になり開口側が基端側となるように扉内面に軸支される。また、アーム係止具は頭部が膨大した係止突起を有しており、該頭部が挿入できるように、アームの上下両腕部はその基端部において部分的に上下に更に離間して、アームの基端部にスリットと連通しスリットよりも幅広の導入口が形成されている。
【０００３】
そして、扉内面に沿った通常位置からアームを扉枠側に向けて所定角度起立させてガード位置とすると、扉枠から扉側に向けて、すなわち、扉が設置される扉枠の開口部内方に向けて略水平に突出した状態にあるアーム係止具の係止突起が、アームの導入口に挿入される。即ち、アームの上下両腕部間に係止突起が位置して、アームと係止突起とは上下に重合した状態となる。
【０００４】
かかるガード位置にアームをセットした後に開扉すると、係止突起は導入口からスリットへと進入してスリット内をアーム先端側へと相対移動する。係止突起がスリット内に進入すると、その頭部がアームの上下両腕部を係止してその通常位置への復帰を阻止する。そして、扉が所定角度まで開くと、係止突起の軸部がアームの先端の上下両腕部を連結するストッパ部に当接し、それにより、その角度以上の開扉が阻止される。
【０００５】
ところで、このようなドアガードにおいて、操作性を向上させるために、略Ｕ字状のアームの先端からさらに握り部を延出させる構成が知られている。（特許文献１参照）
【０００６】
この構成によれば、アームがガード位置にある場合には握り部を摘むことができる。しかし、このようにアームの先端からさらに握り部を延出させると、アームの重量が大きくなり、人が室外へ出る際扉を強く閉めた場合、扉と扉枠との衝突による衝撃によりアームが慣性により通常位置より起き上がり、意図せずドアガードが作動してしまい、再び室内に入ることが出来ない、所謂ロックアウト状態となるという問題を引き起こしやすくなってしまう。
【０００７】
【特許文献１】特開昭５４−１１２０００号公報
【発明の開示】
【発明が解決しようとする課題】
【０００８】
本発明は上記従来の問題に鑑みてなされ、アームの先端からさらに握り部を延出させる必要がないドアガードを提供することを課題とする。
【課題を解決するための手段】
【０００９】
上記課題を解決するため、本発明は、扉２又は扉枠１のいずれか一方に回動可能に連結されたアーム４と、扉枠１又は扉２のいずれか他方に取り付けられたアーム係止具３とを備え、該アーム４は平行に延びる二本のレール４ａ、４ｂと該二本のレール４ａ、４ｂの先端を連結する連結部４ｃを有し、該アーム係止具３は頭部３ａと軸部３ｂを備え、該アーム４を該アーム係止具３側に所定角度回動した状態で開扉した場合、該アーム４は該アーム係止具３の頭部３ａに係止されつつ相対移動するドアガードにおいて、該二本のレール４ａ、４ｂの少なくとも一方の内側には該アーム係止具３の軸部３ｂが当接する突部４ｄが形成され、該アーム係止具３の軸部３ｂと該突部４ｄが当接することによりそれ以上の開扉が阻止された状態において該アーム係止具３の軸部３ｂと該アーム４の連結部４ｃとの間に空間１１を有していることを特徴とするドアガードである。
【発明の効果】
【００１０】
本発明によれば、略Ｕ字状のアームの先端からさらに握り部を延出させる必要がないので、ロックアウト状態になる問題を引き起こしにくい等の効果を有する。
【発明を実施するための最良の形態】
【００１１】
以下、本発明の実施の形態について図面を用いて説明する。
【００１２】
＜実施の形態１＞
図１乃至図４は、本発明によるドアガードの第１の実施例を示す図である。尚、図１乃至図３においては図の断面を示すハッチングは省略されている。
【００１３】
図1、図２に示すように、このドアガードは、外開き用の扉２に二本の軸５、５を介し起倒可能すなわち略水平方向に回動可能に連結されたアーム４と、扉枠１に取り付けられたアーム係止具３とを備える。軸５、５は夫々図示しない抜け止め手段を備えており、アーム４をベース６に回動可能に取り付けている。
【００１４】
アーム４は金属材料により形成された略Ｕ字状部材であり、図１に示すように、平行に延びる二本のレール４ａ、４ｂと二本のレール４ａ、４ｂの一端を閉じる連結部４ｃを具備する。アーム４は、二本のレール４ａ、４ｂが上下になって平行に延びるように扉の内表面２ａ上に配置される。
【００１５】
図１、図２に示すように、ベース６はネジ９、９により扉２の内表面２ａ上に固定され、このベース６の上下の腕片６ａ、６ｂにアーム４の二本のレール４ａ、４ｂの他端が二本の軸５、５で回動可能に支持されることにより、アーム４がベース６に対して回動可能となり、扉２の内表面２ａ上において起倒可能となっている。
【００１６】
アーム４には、閉扉状態からのアーム４の略水平方向への回動によりアーム係止具３の頭部３ａを貫通させる貫通孔７と、開扉時にアーム係止具３の軸部３ｂをストップ位置までスライドさせる貫通孔７に連なる案内溝８とが設けられる。貫通孔７はアーム４のアーム係止具３側に形成される。具体的にはアーム４における二本のレール４ａ、４ｂ間であって、ベース６側に寄った箇所に形成される。
【００１７】
案内溝８は、アーム４の二本のレール４ａ、４ｂ間に貫通孔７から連結部４ｃに向かって延びるように形成され、貫通孔７よりも小さい幅で形成される。
【００１８】
図１、図２に示すように、アーム係止具３は扉枠１から扉２の内表面２ａに沿うように突出している。アーム係止具３は、ネジ１０、１０により扉枠１上に固定される基台部３ｃと、この基台部３ｃから延出する軸部３ｂと、軸部３ｂの先端に膨出形成された頭部３ａとを有している。頭部３ａは貫通孔７の開口よりも小さく、閉扉状態からアーム４を扉２の内表面２ａ上でアーム係止具３側に所定角度回動させると、頭部３ａはアーム４の貫通孔７を貫通する。また、頭部３ａは案内溝８の幅よりも大きく、扉２が開扉されてアーム係止具３の軸部３ｂが案内溝８内に入った後は、アーム４はアーム係止具３の頭部３ａに係止されつつ相対移動し、アーム４の扉２上での倒動作は不能になる。
【００１９】
図１及び図４に示すように、アーム４の二本のレール４ａ、４ｂの連結部４ｃの近傍箇所における夫々の内側には突部４ｄ、４ｄが突出形成されている。図４に示すように、２つの突部４ｄ、４ｄ間の幅はアーム係止具３の軸部３ｂよりも小さく、扉２が開扉されることにより案内溝８をスライドしたアーム係止具３の軸部３ｂが２つの突部４ｄ、４ｄに当接すると、図３に示すように、扉２のそれ以上の開扉が阻止されるようになっている。このように、アーム４の二本のレール４ａ、４ｂの内側に突部４ｄ、４ｄを突出させることにより、アーム係止具３の軸部４ｃのストップ位置を連結部４ｃよりも手前の突部４ｄ、４ｄが形成された位置にすることが可能である。
【００２０】
図４に示すように、断面が長方形である軸部３ｂと２つの突部４ｄ、４ｄが当接して扉２の開扉が阻止された状態において、アーム係止具３の軸部３ｂとアーム４の連結部４ｃとの間は空間１１を有している。この空間１１は、アーム４の連結部４ｃを大人が摘んだ場合に指の先端を掛けることができる程度の大きさになっている。
【００２１】
＜実施の形態２＞
図５は、本発明によるドアガードの第２の実施例を示す図である。尚、実施例１と同じ構成については同一符号を付して説明を省略する。この第２の実施例は、アーム４の上側のレール４ａの先端を厚肉として内側に突出させることにより突部４ｄを形成し、この突部４を連結部４ｃに繋げるようにしたものであり、アーム４の下側のレール４ｂには突部が形成されていない。この第２の実施例においても、軸部３ｂと上側のレール４ａに形成された突部４ｄが当接して扉２の開扉が阻止された状態において、アーム係止具３の軸部３ｂとアーム４の連結部４ｃとの間は空間１１を有しており、アーム４の連結部４ｃを大人が摘んだ場合に空間１１に指の先端を掛けることができるようになっている。
【００２２】
＜実施の形態３＞
図６は、本発明によるドアガードの第３の実施例を示す図である。尚、実施例１と同じ構成については同一符号を付して説明を省略する。この第３の実施例は、アーム４の二本のレール４ａ、４ｂの両方の先端を厚肉として内側に突出させることにより突部４ｄ、４ｄを形成し、この突部４ｄ、４ｄを連結部４ｃに繋げるようにしたものである。この第３の実施例においても、断面が楕円形である軸部３ｂと２つの突部４ｄ、４ｄが当接して扉２の開扉が阻止された状態において、アーム係止具３の軸部３ｂとアーム４の連結部４ｃとの間は空間１１を有しており、アーム４の連結部４ｃを大人が摘んだ場合に空間１１に指の先端を掛けることができるようになっている。
【００２３】
＜実施の形態４＞
図７は、本発明によるドアガードの第４の実施例を示す図である。尚、実施例１と同じ構成については同一符号を付して説明を省略する。この第４の実施例においては、アーム４の二本のレール４ａ、４ｂの内側には突部４ｄは形成されない。断面が長方形のアーム係止具３の軸部３ｂには凹部３ｄが形成されており、軸部３ｂとアーム４が当接して扉２の開扉が阻止された状態において、軸部３bに形成される凹部３ｄとアーム４の連結部４ｃとの間は空間１１を有しており、アームの連結部４ｃを大人が摘んだ場合に空間１１に指の先端を掛けることができるようになっている。
【００２４】
本発明のドアガードは、上述した実施の形態に限定されず、特許請求の範囲で記載した範囲で種々の変形や改良が可能である。例えば、第１の実施の形態においては、アーム４の二本のレール４ａ、４ｂの夫々の内側に突部４ｄ、４ｄを突出させるようにしたが、二本のレール４ａ、４ｂの一方の内側のみに突部４ｄを形成してもよく、突部４ｄは二本のレール４ａ、４ｂの少なくとも一方の内側に形成されていればよい。
【００２５】
また、上記実施の形態においては、アーム４は扉２に連結され、アーム係止具３は扉枠１に取り付けられたが、アーム４が扉枠１に連結され、アーム係止具３が扉２に取り付けられていてもよい。
【図面の簡単な説明】
【００２６】
【図１】本発明の第１の実施例のドアガードの正面図である。
【図２】本発明の第１の実施例のドアガードの平面図である。
【図３】本発明の第１の実施例において、扉の開扉が阻止された状態におけるドアガードの平面図である。
【図４】図３中、Ａ−Ａ断面図である。
【図５】本発明の第２の実施例を示す図３中、Ａ−Ａ断面図である。
【図６】本発明の第３の実施例を示す図３中、Ａ−Ａ断面図である。
【図７】本発明の第４の実施例を示す図３中、Ａ−Ａ断面図である。
【符号の説明】
【００２７】
１          扉枠
２          扉
３          アーム係止具
３ａ        頭部
３ｂ        軸部
３ｃ        基台部
３ｄ        凹部
４          アーム
４ａ        レール
４ｂ        レール
４ｃ        連結部
４ｄ        突部
１１        空間
【図１】
2008297717.tif 000003
【図２】
2008297717.tif 000004
【図３】
2008297717.tif 000005
【図４】
2008297717.tif 000006
【図５】
2008297717.tif 000007
【図６】
2008297717.tif 000008
【図７】
2008297717.tif 000009